(57)【特許請求の範囲】
【請求項１】
安定配置可能なバリケード本体（１）の頭頂部には４箇所の被嵌凸部（11・11・11・11）が一列に並んで列設されている一方、
当該バリケード本体（１）の上部長手方向に立設される起立板体であって、合成樹脂で作製されたスタンドボード（２）の脚部両側には嵌合キャップ（21・21）が形成されており、
この嵌合キャップ（21・21）が、隣接する前記バリケード本体（１・１）の外側の各被嵌凸部（11）同士または内側の各被嵌凸部（11）同士に冠着することによってバリケード本体（１・１）を異なる間隔のレイアウトで、回動自在に連結し、かつ、バリケードの有効高を付加して嵩上げされて構成されたことを特徴とする嵩上げ自在なバリケード連結構造体。
【請求項２】
スタンドボード（２）の嵌合キャップ（21）が底面に形成されている一方、上部には抜き差し把手（22）が形成されていることを特徴とする請求項１記載の嵩上げ自在なバリケード連結構造体。
【請求項３】
バリケード本体（１）および／またはスタンドボード（２）を中空に成形し、内部に加重物を充填可能に構成したことを特徴とする請求項１または２記載の嵩上げ自在なバリケード連結構造体。
【請求項４】
互いに異なる色調のバリケード本体（１・１…）を隣接して連結したことを特徴とする請求項１〜３の何れか一つに記載の嵩上げ自在なバリケード連結構造体。
【発明の詳細な説明】
【０００１】
【発明の属する技術分野】
本発明は、道路や工事現場、駐車場、イベント会場、トラック陸上競技場等において交通規制やゾーン区分等に必要な境界を画定する際に使用するバリケードの改良、更に詳しくは、設置箇所に応じて有効高を調節することができ、人の進入阻止や境界を強調することができる嵩上げ自在なバリケード連結構造体に関するものである。
【０００２】
【従来の技術】
周知のとおり、道路や工事現場においては、道路の臨時的な交通規制を行ったり工事現場の危険区域を明示したりする際に、その境界に沿って所要長さのバリケードを設置する必要がある。
【０００３】
従来、この種のバリケードは、人の進入を阻止する目的にあっては、５０ｃｍ程度の高さがあれば、視界にも入り十分効果的であったが、人が跨いで飛び越えてしまうおそれがあった。また、自動車道路に配設する場合は、運転者に注意を喚起できるように遠方からも視認できるようにするために嵩上げをして標示する必要性があった。
【０００４】
しかしながら、上記のような従来のバリケードの高さを大きくするためには、バリケードのサイズを大きくせねばならず、設置現場まで運搬する際に嵩張って持ち運びが不便であるうえに、構成部材の格納場所の確保にも苦労するという難点があった。
【０００５】
【発明が解決しようとする課題】
本発明は、従来のバリケードに上記したような問題があったことに鑑みて為されたものであり、その目的とするところは、設置箇所に応じて有効高を調節することができ、人の進入阻止や境界を強調することができる嵩上げ自在なバリケード連結構造体を提供することにある。
【０００６】
【課題を解決するための手段】
本発明者が上記技術的課題を解決するために採用した手段を、添附図面を参照して説明すれば、次のとおりである。
【０００７】
【０００８】
【０００９】
【００１０】
【００１１】
【００１２】
【００１３】
即ち、本発明は、安定配置可能なバリケード本体１の頭頂部には４箇所の被嵌凸部11・11・11・11が一列に並んで列設されている一方、
当該バリケード本体１の上部長手方向に立設される起立板体であって、合成樹脂で作製されたスタンドボード２の脚部両側には嵌合キャップ21・21が形成されており、
この嵌合キャップ21・21が、隣接する前記バリケード本体１・１の外側の各被嵌凸部11同士または内側の各被嵌凸部11同士に冠着することによってバリケード本体１・１を異なる間隔のレイアウトで、回動自在に連結し、かつ、バリケードの有効高を付加して嵩上げされて構成構成するという技術的手段を採用することによって嵩上げ自在なバリケード連結構造体を完成させた。
【００１４】
また、本発明は、上記課題を解決するために、必要に応じて上記手段に加え、スタンドボード２の嵌合キャップ21を底面に形成する一方、上部には抜き差し把手22を形成するという技術的手段を採用した。
【００１５】
【００１６】
更にまた、本発明は、上記課題を解決するために、必要に応じて上記手段に加え、バリケード本体１および／またはスタンドボード２を中空に成形し、内部に加重物を充填可能に構成するという技術的手段を採用した。
【００１７】
更にまた、本発明は、上記課題を解決するために、必要に応じて上記手段に加え、互いに異なる色調のバリケード本体１・１…を隣接して連結するという技術的手段を採用した。
【００１８】
【発明の実施の形態】
本発明の実施形態を具体的に図示した図面に基いて更に詳細に説明すると次のとおりである。
【００１９】
本発明の実施形態を図１から図８に基いて説明する。符号１で指示するものは境界を画定する際に必要とする箇所に設置されるバリケード本体であり、このバリケード本体１は合成樹脂（高分子ポリエチレン）で作製され、頭頂部には被嵌凸部11・11…（本実施形態では４箇所）が列設されている（図２参照）。
【００２０】
また、本実施形態においては、前記バリケード本体１を中空に成形し、上面にキャップ付きの充填口13が設けられており、この充填口13から内空部に水などの加重物を充填することによって安定配置が可能であり、水などに代えてより比重の大きい砂などの加重粒状体を充填するようにしても良い。
【００２１】
符号２で指示するものはスタンドボードであり、このスタンドボード２は前記バリケード本体１の上部長手方向に立設される起立板体であって、合成樹脂で作製して脚部両側に嵌合キャップ21・21を形成し、本実施形態では、嵌合キャップ21・21を底面に形成する（図３参照）。
【００２２】
しかして、本実施形態では、前記スタンドボード２の嵌合キャップ21・21を前記バリケード本体１の被嵌凸部11・11に冠着することによってバリケードの有効高を付加することができ、嵩上げしたバリケードを構成することができる（図１参照）。
【００２３】
この際、図示のように、バリケード本体１の長手方向に位置を合わせてスタンドボード２を設置したバリケード本体１・１を連結して構造体を構成するためには、バリケード本体１の向かい合う端部に配設された連結機構12を使用し、この連結機構12は、例えば、当該バリケード本体１の側部に嵌め込み凹部を形成し、連結具Ｒをこれら両バリケード本体１・１に亙って嵌め込むことによって、両部材を一定角度範囲で回動自在に連結できるように構成される。また、連結するバリケード本体１・１の連結機構12・12には枢軸部を形成し、この枢軸部をヒンジ軸として回動可能にすることができる（図４および図５参照）。
【００２４】
なお、スタンドボード２の上部には、要に応じて、抜き差し操作の際に便利な抜き差し把手22を形成することができると共に、当該スタンドボード２もバリケード本体１と同様に中空に成形し、内空部に水などの加重物を充填したり排出したりできるキャップ付きの充填口を設けることができ、スタンドボード２としての基本的な嵩上げ機能および連結機能のほかに、おもり機能を持たせることもできる。
【００２５】
また、バリケード本体１およびスタンドボード２を用いて、図６および図７に示すように、スタンドボード２を隣接するバリケード本体１・１の各被嵌凸部11に冠着することによってバリケード本体１・１を回動自在に連結した構造体を形成することもでき、この際、必ずしもバリケード本体１に連結機構12を配設しなくとも良い。
【００２６】
そして、本実施形態のバリケード連結構造体にあっては、スタンドボード２で連結したバリケード本体１・１同士を当該スタンドボード２の嵌合キャップ21をヒンジ軸として回動自在に構成されているので、カーブした境界線であってもバリケードを設置することができる。
【００２７】
また、本実施形態では、互いに異なる色調のバリケード本体１・１…を隣接して連結することが可能であり、運転者に注意を喚起することができる。
【００２８】
本発明は、概ね上記のように構成されるが、図示の実施形態に限定されるものでは決してなく、「特許請求の範囲」の記載内において種々の変更が可能であって、例えば、被嵌凸部11と嵌合キャップ21との嵌合組み合わせは、嵌合凹部11’と嵌合凸起21’に変更することが可能である。
【００２９】
また、バリケード本体１の被嵌凸部11（嵌合凹部11’）はいくつ形成しても良く、連結構造体としてのレイアウトの自由度を大きくすることができる。また、嵌合キャップ21（嵌合凸起21’）の配設位置は底面に限らず、側方に持出成形したものであっても良い。更にまた、図８のように連結した構造体を形成することもでき、何れのものも本発明の技術的範囲に属する。
【００３０】
【発明の効果】
以上、実施形態を挙げて説明したとおり、本発明バリケードは、バリケード本体の頭頂部には被嵌凸部を列設し、合成樹脂で作製されたスタンドボードの脚部両側に形成された嵌合キャップを前記バリケード本体の被嵌凸部に冠着することによってバリケードの有効高を調節できることから、人の進入阻止や境界を強調することができる。
【００３１】
また、スタンドボードの高さを設置箇所の状況に応じて適宜変更することができるし、バリケード本体の連結機構またはスタンドボードによって連結状態で回動させることができるので、カーブ等の各種境界線に沿ってバリケードを設置することができる。
【００３２】
更にまた、必要に応じて、バリケード本体および／またはスタンドボードの内空部には、水や砂などの加重物が充填可能に構成してあるので、運搬・格納時には軽く、設置使用する際には内空部に加重物を充填することによりバリケードの全体重量を調節することができる。
【００３３】
従って、本発明の嵩上げ自在なバリケード連結構造体によれば、道路や工事現場、駐車場、イベント会場、トラック陸上競技場等において交通規制やゾーン区分等に必要な境界を画定する際に使用するバリケードの分野における利用価値は頗る大きい。
【図面の簡単な説明】
【図１】  本発明の実施形態におけるバリケードを表わす全体斜視図である。
【図２】  本発明の実施形態におけるバリケード本体を表わす全体斜視図である。
【図３】  本発明の実施形態におけるスタンドボードを表わす全体斜視図である。
【図４】  本発明の実施形態におけるバリケード連結構造体を表わす全体上面図である。
【図５】  本発明の実施形態におけるバリケード連結構造体をカーブさせた状態を表わす全体斜上面である。
【図６】  本発明の実施形態におけるバリケード連結構造体を表わす全体斜視図である。
【図７】  本発明の実施形態におけるバリケード連結構造体を表わす全体上面図である。
【図８】  本発明の実施形態におけるバリケード連結構造体を表わす全体斜視図である。
【符号の説明】
１    バリケード本体
11  被嵌凸部
12  連結機構
13  充填口
２    スタンドボード
21  嵌合キャップ
22  差し抜き把手
Ｒ    連結具
【図１】
0004121307.tif 000002
【図２】
0004121307.tif 000003
【図３】
0004121307.tif 000004
【図４】
0004121307.tif 000005
【図５】
0004121307.tif 000006
【図６】
0004121307.tif 000007
【図７】
0004121307.tif 000008
【図８】
0004121307.tif 000009